(57)【要約】【課題】生産性を向上させることができるとともに、柱部の強度を上げることができる直動型スラストころ軸受用保持器を提供する。【解決手段】直動型スラストころ軸受用保持器２０は、互いに対向する一対の軌道盤１，２間に介装される複数のころ３を一対の軌道盤１，２の相対的な直動方向に転動可能に保持するポケット部２１を備える。保持器２０は単一部材によって構成され、且つ、保持器２０の板厚方向両側におけるポケット部２１の幅は、ころ３の直径より短い。【選択図】図１
2007278439.tif 000002
【特許請求の範囲】
【請求項１】
互いに対向する一対の軌道盤間に介装される複数のころを前記一対の軌道盤の相対的な直動方向に転動可能に保持するポケット部を備えた直動型スラストころ軸受用保持器であって、
前記保持器は単一部材によって構成され、且つ、前記保持器の板厚方向両側における前記ポケット部の幅は、前記ころの直径より短いことを特徴とする直動型スラストころ軸受用保持器。
【請求項２】
前記ポケット部を部分的に形成する柱部には、前記ポケット部に前記ころを挿入する際に弾性変形して前記ころの前記ポケット部への挿入を許容するころ挿入部が形成されることを特徴とする請求項１に記載の直動型スラストころ軸受用保持器。
【請求項３】
互いに対向する一対の軌道盤と、該一対の軌道盤間に転動可能に介装される複数のころと、該複数のころを前記一対の軌道盤の相対的な直動方向に転動可能に保持する請求項１又は２に記載の保持器と、を備えたことを特徴とする直動型スラストころ軸受。
【発明の詳細な説明】
【技術分野】
【０００１】
本発明は、直動型スラストころ軸受用保持器、及び該保持器を備えた直動型スラストころ軸受に関する。
【背景技術】
【０００２】
例えば、製鉄設備の転炉トラニオン用軸受の下には直動型のスラストころ軸受が用いられている。図３は、従来の直動型スラストころ軸受用保持器を組み込んだ直動型スラストころ軸受を示す。
【０００３】
この直動型スラストころ軸受は、図３に示すように、互いに対向する一対の軌道盤１，２と、一対の軌道盤１，２間に転動可能に介装された複数のころ（針状ころ）３と、複数のころ３を一対の軌道盤１，２の相対的な直動方向（図３（ａ）の左右方向）に転動可能に保持する保持器４とを備えており、保持器４は、図３や図４に示すものが従来使用されている。
【０００４】
保持器４は、図４に示すように、一対の軌道盤１，２の直動方向に沿って複数のころ３を転動可能に保持する２列のポケット部５を有する。ポケット部５は、ころ３の外周面に対応する曲面状のころ案内面６ａ（図４（ｂ）参照）と、ころ３の軸方向の両端部にそれぞれ対向する端壁面７ａ，８ａとを有している。
【０００５】
そして、この保持器４は、ころ案内面６ａを形成する柱部６、及びポケット部５のころ軸方向内側の端壁面７ａを形成する中間壁部７とを備える保持器本体９と、ポケット部５のころ軸方向外側の端壁面８ａを形成する２枚の側壁部材８とによって構成され、側壁部材８は、保持器本体９の柱部６にねじ１０を介して固定される。
【０００６】
一方、一般的なスラストころ軸受に用いられる保持器として、一体型のもみ抜き保持器を使用することが知られている（例えば、特許文献１参照）。
【特許文献１】特開２００２−２４２９３８号公報
【発明の開示】
【発明が解決しようとする課題】
【０００７】
ところで、従来の直動型スラストころ軸受用保持器４においては、保持器本体９の柱部６に側壁部材８をねじ１０を介して固定する構造を採用しているため、ねじ１０の締め付け作業や柱部６へのねじ穴６ｂ（図４（ｂ）参照）の加工作業が必要となり、生産性を低下させるとともに、柱部６の強度を低下させる原因になっている。
【０００８】
そこで、本発明の目的は、生産性を向上させることができるとともに、柱部の強度を上げることができる直動型スラストころ軸受用保持器及び該保持器を備えた直動型スラストころ軸受を提供することにある。
【課題を解決するための手段】
【０００９】
本発明の上記目的は、下記（１）〜（３）の構成により達成される。
（１）  互いに対向する一対の軌道盤間に介装される複数のころを前記一対の軌道盤の相対的な直動方向に転動可能に保持するポケット部を備えた直動型スラストころ軸受用保持器であって、
前記保持器は単一部材によって構成され、且つ、前記保持器の板厚方向両側における前記ポケット部の幅は、前記ころの直径より短いことを特徴とする直動型スラストころ軸受用保持器。
（２）  前記ポケット部を部分的に形成する柱部には、前記ポケット部に前記ころを挿入する際に弾性変形して前記ころの前記ポケット部への挿入を許容するころ挿入部が形成されることを特徴とする（１）に記載の直動型スラストころ軸受用保持器。
（３）  互いに対向する一対の軌道盤と、該一対の軌道盤間に転動可能に介装される複数のころと、該複数のころを前記一対の軌道盤の相対的な直動方向に転動可能に保持する（１）又は（２）に記載の保持器と、を備えたことを特徴とする直動型スラストころ軸受。
【発明の効果】
【００１０】
本発明によれば、直動型スラストころ軸受用保持器は単一部材によって構成され、且つ、前記保持器の板厚方向両側における前記ポケット部の幅は、前記ころの直径より短いので、保持器はころが脱落することなく単一部材によって構成でき、従来必要であったねじの締め付け作業や柱部へのねじ穴の加工作業が不要となる。これにより、直動型スラストころ軸受用保持器の生産性を向上させることができるとともに、柱部の強度を上げることができる。
【発明を実施するための最良の形態】
【００１１】
以下、本発明の一実施形態に係る直動型スラストころ軸受用保持器について図１を参照して詳細に説明する。なお、保持器が組み込まれる直動型スラストころ軸受の一対の軌道盤及びころについては、従来のものと同様な構成であり、既に図４で説明した符号を流用して説明する。
【００１２】
直動型スラストころ軸受用保持器２０は、図１に示すように、一対の軌道盤１，２の相対的な直動方向に長い長方形状をなしており、該直動方向に沿って複数のころ（円筒ころや針状ころ等）３を転動可能に保持する２列の複数のポケット部２１を有する。ポケット部２１は、ころ３の外周面に対応する曲面状のころ案内面２２ａ（図１（ｂ）参照）と、ころ３の軸方向の両端部にそれぞれ対向する端壁面２３ａ，２４ａとを有している。
【００１３】
この直動型スラストころ軸受用保持器２０は、樹脂等による単一部材によって構成され、即ち、ころ案内面２２ａを形成する柱部２２、柱部２２と直交してポケット部２１のころ軸方向内側の端壁面２３ａを形成する中間壁部２３、及び、柱部２２と直交してポケット部２１のころ軸方向外側の端壁面２４ａを形成する側壁部２４が一体的に形成されている。
【００１４】
また、柱部２２に形成されるころ案内面２２ａは、ころ３の転動面３ａに沿って総型形状をもつ加工工具を用いて、設計形状と同じ輪郭をもつ略円弧状に加工されており、その曲率半径Ｒは、転動面３ａの曲率半径より僅かに大きい。そして、柱部２２の板厚方向一方側の端部は、ころ案内面２２ａから連続する突出縁部２５となっている。また、柱部２２の板厚方向他方側の端部には、ころ３の直径より僅かに小さな間隔Ｗ２を隔てて形成されるころ挿入部２６を有する。ころ挿入部２６は、ポケット部２１にころ３を挿入する際に弾性変形して間隔Ｗ２をころ３が通過可能な幅に変え、ころ３のポケット部２１への挿入を許容する。従って、保持器２０の板厚方向両側におけるポケット部２１の幅Ｗ１，Ｗ２は、ころ３の直径Ｄより短くし、ころ３が保持器２０から脱落するのを防止している。
【００１５】
また、この保持器２０では、隣接するポケット部２１毎に、ころ３を組み込む方向が逆向きになるように構成されており、板厚方向両側には突出縁部２５ところ挿入部２６が交互に配置されている。また、ころ３の転動面３ａと突出縁部２５との板厚方向での距離をＡとして、ころ挿入部２６ところ案内面２２ａとの境界部２６ａとの板厚方向での距離をＢとしたとき、常時Ｂ＞Ａとなるように、ころ案内面２２ａの曲率半径Ｒと間隔Ｗ２とがそれぞれ設定されている。
【００１６】
これにより、ころ３を保持する保持器２０が一対の軌道盤１，２間に配置されると、図２に示すように、保持器２０が重力により図中下方に移動して、突出縁部２５と転動面３ａとが接触した状態となる。このとき、距離Ａはゼロとなる。すなわち、保持器２０は距離Ａだけ下方に移動した状態となる。また、隣接したポケット部２１では、距離Ｂは保持器２０の移動距離だけ短くなっているが、上述のように、Ｂ＞Ａであるため、常にＢ＞０となる。即ち、転動面３ａところ挿入部２６とは接触しない。従って、ころ挿入部２６は摩耗することがなく、間隔Ｗ２は長期の運転を経た後であっても維持される。そのため、ころ３はポケット部２１から脱落することがなく、保持器２０の案内を安定した状態に維持することができる。また、突出縁部２５と転動面３ａは、接触角度が極めて小さいため、摩耗が起こり難い。従って、保持器２０は安定した状態で長期に亘り使用することができる。
【００１７】
このように、本実施形態では、直動型スラストころ軸受用保持器２０は単一部材によって構成され、且つ、保持器２０の板厚方向両側におけるポケット部２１の幅Ｗ１，Ｗ２は、ころ３の直径Ｄより短いので、保持器２０はころ３が脱落することなく単一部材によって構成でき、従来必要であったねじの締め付け作業や柱部へのねじ穴の加工作業が不要となる。これにより、直動型スラストころ軸受用保持器２０の生産性を向上させることができるとともに、各ポケット部２１間の柱部２２の強度を上げることができる。
【００１８】
なお、本発明は上記実施形態に限定されるものではなく、本発明の要旨を逸脱しない範囲において適宜変更可能である。
例えば、上記実施形態では、ポケット部２１を２列配置した場合を例示したが、これに限定されず、ポケット部２１を１列或いは３列以上配置するようにしてもよい。
また、上記実施形態では、１つのポケット部２１に一個のころ３を収容する場合を例示したが、これに限定されず、１つのポケット部２１に複数個のころを収容するようにしてもよい。
さらに、上記実施形態では、保持器２０の板厚方向側面に突出縁部２５ところ挿入部２６が交互に配置されているが、板厚方向一側にころ挿入部２６のみが板厚方向他側に突出縁部２５のみが配置されるようにしてもよい。
【図面の簡単な説明】
【００１９】
【図１】本発明の一実施形態である直動型スラストころ軸受用保持器を示し、（ａ）は一部を切り欠いて示す平面図であり、（ｂ）は（ａ）のＩ−Ｉ線断面図であり、（ｃ）は（ｂ）のＩ´の拡大図である。
【図２】図１の直動型スラストころ軸受用保持器が使用された状態を示す要部断面図である。
【図３】従来の直動型スラストころ軸受を示し、（ａ）は一部を切り欠いて示す平面図であり、（ｂ）は正面図であり、（ｃ）は右側面図である。
【図４】従来の直動型スラストころ軸受用保持器を示し、（ａ）は一部を切り欠いて示す平面図であり、（ｂ）は（ａ）のＩＶ−ＩＶ線断面図である。
【符号の説明】
【００２０】
１，２  一対の軌道盤
３  ころ
２０  直動型スラストころ軸受用保持器
２１  ポケット部
２６  ころ挿入部
【図１】
2007278439.tif 000003
【図２】
2007278439.tif 000004
【図３】
2007278439.tif 000005
【図４】
2007278439.tif 000006